(57)【要約】【課題】専用のアダプタ装置を不要にしてシステムのコストダウンを図ると共に計数値の読み出し作業の自由度を高め、かつ消費電力の削減を可能にして使用時間の延長を図る。【解決手段】弾数カウンタ２にＲＦＩＤタグ２５を内蔵させ、このＲＦＩＤタグ２５を用いて発射弾数の計数値データの書き込み・読み出しを可能にする。しかも、ＲＦＩＤタグ２５には外部接続端子２５５と切替スイッチ２５６を設け、計数値データの書き込み時には切替スイッチ２５６を外部接続端子２５５側に切り替えて、計数値データを書き込み回路２４から有線信号路２７を介して上記ＲＦＩＤタグ２５内のメモリ２５１に書き込み、一方計数値データの読み出し時には切替スイッチ２５６を無線送受信回路２５３側に切り替えて、メモリ２５１から読み出された計数値データを無線送受信回路２５３から外部のＲＦＩＤリーダライタ５に向け無線送信する。【選択図】      図３
2008175462.tif 000002
【特許請求の範囲】
【請求項１】
銃器に装着され、当該銃器から発射される弾の数を計数するバッテリ駆動型の弾数計測装置であって、
データの読み出し及び書き込みが可能な記憶部と無線送受信部とを有するＲＦＩＤ（Radio Frequency Identification）モジュールと、
前記銃器による弾の発射を検出し、その検出結果をもとに発射弾数を計数する弾数計測モジュールと、
前記弾数計測モジュールにより得られた発射弾数の計数値を前記ＲＦＩＤモジュールの記憶部に書き込む制御モジュールと
を具備し、
前記ＲＦＩＤモジュールは、
前記制御モジュールに有線信号路を介して接続される有線接続インタフェースと、
前記制御モジュールが前記記憶部に計数値を書き込む期間には当該記憶部を前記有線接続インタフェースに接続し、前記記憶部に記憶された計数値を読み出して無線送信する期間には当該記憶部を前記無線送受信部に接続する切替スイッチと
を備えることを特徴とする弾数計測装置。
【発明の詳細な説明】
【技術分野】
【０００１】
この発明は、例えば銃器の射撃訓練において発射弾数を計数するために用いられる弾数計測装置に関する。
【背景技術】
【０００２】
日本では、拳銃や小銃、ライフル銃等の銃器の使用は厳しく規制されており、また射撃訓練等に使用する実弾数についても厳格な管理が要求されている。このため、射撃訓練においては、例えば射撃後の空薬莢数と未使用の弾数をそれぞれ人手により計数し、その計数値をもとに射撃に使用した弾数を管理するようにしている。
【０００３】
しかしながら、このような従来の管理方法は次のような問題点を有している。  
（１）空薬莢を計数するために、銃器から排出される空薬莢を回収する装置が必要である。  
（２）空薬莢数と未使用弾数との和が配布弾数と一致しない場合に、使用弾数の確認を使用者の申告に頼らざるを得ないため弾数の管理が不正確になりやすい。  
（３）上記使用弾数の申告に際し、使用者が使用弾数を正確に記憶していない場合には、紛失した弾が射撃後の空薬莢であるのか又は実弾であるのかが確認できず、安全管理上問題がある。  
（４）屋内の射撃場であれば空薬莢の計数を正確に行うことが可能であるが、屋外の射撃場では射撃後の空薬莢を紛失する可能性が高く、また紛失した場合の捜索も困難なことが多い。  
すなわち、従来では射撃訓練において空薬莢を紛失しないようにするために、使用者の行動を規制したり、空薬莢が紛失しないようにするための特別な装備を銃器に装着しなければならず、訓練効果に悪影響を与える。
【０００４】
一方、射撃訓練において弾数を自動計数するシステムも提案されている。このシステムは、例えば銃器に弾数カウンタを装着して発射時の衝撃等をもとに弾の発射を検出しその回数を記憶する。そして、射撃訓練の終了後に弾数カウンタを銃器から取り外してアダプタ装置に装着し、上記弾数カウンタに記憶された発射弾数の計数値をアダプタ装置により読み出してパーソナル・コンピュータ等の制御装置に転送し、この制御装置で発射弾数を管理するものである（例えば、特許文献１を参照。）。  
このようなシステムを使用すれば、人手に頼ることなくまた空薬莢を収集するために特別な装備を設けることなく、銃器ごとの発射弾数を正確に計数し管理することが可能となる。
【０００５】
【特許文献１】特開２００５−１５６０１２号公報
【発明の開示】
【発明が解決しようとする課題】
【０００６】
ところが、前記従来のシステムは、弾数カウンタに記憶された発射弾数の計数値をアダプタ装置により読み出して制御装置に転送するものとなっている。このため、弾数カウンタの読み出し専用機能を備えた装置が必要となり、システムが高価になる。また、アダプタ装置は有線信号ケーブルを介して制御装置に接続されるため、アダプタ装置の設置場所も制限され、これにより計数値読み出し作業の自由度が低い。
【０００７】
この発明は上記事情に着目してなされたもので、その目的とするところは、計数値を読み出すための専用のアダプタ装置を不要にしてシステムのコストダウンを図ると共に、計数値の読み出し作業の自由度を高め、さらに消費電力の削減を可能にして使用時間の延長を図った弾数計数装置を提供することにある。
【課題を解決するための手段】
【０００８】
上記目的を達成するためにこの発明は、銃器に着脱可能に装着されて当該銃器から発射される弾の数を計数するバッテリ駆動型の弾数計測装置にあって、データの読み出し及び書き込みが可能な記憶部と無線送受信部とを有するＲＦＩＤ（Radio Frequency Identification）モジュールと、上記銃器による弾の発射を検出してその検出結果をもとに発射弾数を計数する弾数計測モジュールと、上記弾数計測モジュールにより得られた発射弾数の計数値を前記ＲＦＩＤモジュールの記憶部に書き込む制御モジュールとを具備する。そして、上記ＲＦＩＤモジュールに、上記制御モジュールに有線信号路を介して接続される有線接続インタフェースと、切替スイッチとを設け、この切替スイッチにより上記制御モジュールが前記記憶部に計数値を書き込む期間には当該記憶部を上記有線接続インタフェースに接続し、上記記憶部に記憶された計数値を読み出して無線送信する期間には当該記憶部を上記無線送受信部に接続するように構成したものである。
【発明の効果】
【０００９】
したがってこの発明によれば、弾数計測装置にはＲＦＩＤモジュールが内蔵されるため、計数値をこのＲＦＩＤモジュールにより汎用のＲＦＩＤリードライタへ無線送信することが可能となる。これにより、専用のアダプタ装置を設ける必要がなくなってその分システムのコストダウンが可能となる。また、ＲＦＩＤモジュールの無線機能を使用することで、計数値データの読み出し作業を行う場所についての制約を減らし、計数値データの収集作業の自由度が高まる。
【００１０】
さらに、この発明では次のような作用効果が奏せられる。すなわち、一般にパッシブタイプと呼ばれるＲＦＩＤモジュールは、通信相手の無線装置から送信される無線搬送波電力を利用して自己が動作するための電源電圧を生成する。このため、無線装置は十分に大きな電力で無線搬送波を送信する必要がある。ところが、本発明が対象とする弾数計測装置のようなバッテリ駆動型の装置では、ＲＦＩＤモジュールへの計数値の書き込み処理のために制御モジュールから大きな電力の無線搬送波を送信すると、バッテリの短命化、延いては装置の使用時間の短縮を招き非常に好ましくない。
【００１１】
これに対し本発明では、ＲＦＩＤモジュールに設けた有線接続インタフェースと切替スイッチにより、計数値を読み出して無線送信する期間には記憶部が無線送受信部に接続され、一方記憶部に計数値を書き込む期間には当該記憶部が上記有線接続インタフェースに接続される。すなわち、ＲＦＩＤモジュールでは、計数値を読み出す場合にのみ無線送受信部が使用され、計数値を記憶する場合には有線信号路を介して書き込み処理が行われる。換言すれば、ＲＦＩＤモジュールによる無線通信の効果が得られない弾数計測装置内における計数値の書き込み処理には無線送受信を使用しない。このため、ＲＦＩＤモジュールへの計数値の書き込み処理のために制御モジュールから大きな電力の無線搬送波を送信する必要がなくなり、これによりバッテリ寿命の延長、延いては装置の使用時間の延長が可能となる。
【００１２】
すなわち、本発明によれば、計数値を読み出すための専用のアダプタ装置を不要にしてシステムのコストダウンを図ると共に、計数値の読み出し作業の自由度を高め、さらに消費電力の削減を可能にして使用時間の延長を図った弾数計数装置を提供することができる。
【発明を実施するための最良の形態】
【００１３】
以下、図面を参照してこの発明の実施形態を説明する。  
図１は、この発明に係わる弾数計測装置の一実施形態である弾数カウンタを使用した弾数管理システムの概略構成図であり、１は拳銃やライフル銃等の銃、２は弾数カウンタ、３は収納ボックス、４は制御装置、５はＲＦＩＤリーダライタをそれぞれ示している。
【００１４】
銃１の把持部１ａには、箱形又は板状をなす弾数カウンタ２が着脱自在に装着される。装着手段としては、例えば金具を用いた機械的な固定手段や、接着剤による固着手段または粘着テープ等を用いた貼着手段が使用可能である。また装着位置については、照準動作や射撃動作に支障が生じない位置であれば任意に選択可能である。
【００１５】
収納ボックス３には複数のスロット３１，３１，…が設けてあり、これらのスロット３１，３１，…に上記弾数カウンタ２が着脱可能に装着される。各スロット３１，３１，…にはそれぞれ、弾数カウンタ２に内蔵された後述するＲＦＩＤタグの切替スイッチを切り替えるための磁石と、弾数カウンタ２に内蔵されたバッテリに充電電圧を供給する回路が設けてある。
【００１６】
ＲＦＩＤリーダライタ５は汎用のＲＦＩＤリーダライタからなり、制御装置４の制御の下で、上記収納ボックス３のスロット３１，３１，…に装着された弾数カウンタ２のＲＦＩＤタグとの間で、当該ＲＦＩＤタグに記憶された計数値データを読み出すための動作を行う。
【００１７】
制御装置４は例えばパーソナル・コンピュータからなり、上記ＲＦＩＤリーダライタ５から各弾数カウンタ２の計数値データを収集する制御機能と、収集された計数値データをもとに弾数管理簿を作成する機能を備える。これらの機能はいずれもアプリケーション・プログラムをＣＰＵに実行させることにより実現される。なお、制御装置４とＲＦＩＤリーダライタ５との間は、ＵＳＢ（Universal Serial Bus）ケーブル等の接続ケーブル６を介して接続される。この接続インタフェースとしては、他にＬＡＮ（Local Area Network）や無線ＬＡＮ、ＢＴ（Bluetooth）（登録商標）に代表される近距離無線データ伝送システムを使用することも可能である。
【００１８】
ところで、上記弾数カウンタ２は次のように構成される。図２はその構成を示す機能ブロック図である。  
すなわち、弾数カウンタ２は、発射検出・計数部２１と、制御回路２２と、出力インタフェース部２３と、書き込み回路２４と、ＲＦＩＤタグ２５と、電源部２６とを備えている。
【００１９】
発射検出・計数部２１は衝撃センサ２１１を備え、この衝撃センサ２１１から出力された衝撃波形を表す信号はアナログ・ディジタル変換器（Ａ／Ｄ）２１２によりディジタル信号に変換されたのち、衝撃波形検出回路２１３に入力される。衝撃波形検出回路２１３は、上記入力された衝撃波形信号から衝撃の加速度レベル、加速度の変化回数、発生継続時間、周波数をそれぞれ検出する。そして、これらの検出値をしきい値設定回路２１４において設定されたしきい値とそれぞれ比較し、その比較結果を表すカウントパルスをカウント回路２１５に供給する。カウント回路２１５は、上記衝撃波形検出回路２１３から供給されたカウントパルスをカウントし、そのカウント値（計数値）データを発射弾数として制御回路２２へ出力する。
【００２０】
制御部２２は、しきい値制御部２２１と、表示・アラーム制御部２２２と、計測データ出力制御部２２３とを備えている。しきい値制御部２２１は、銃種及び弾種の組み合わせに対応付けて予め設定されたしきい値を記憶し、このしきい値を読み出して上記しきい値設定回路２１４に設定する。
【００２１】
表示・アラーム制御部２２２は、上記カウント回路２１５から出力される発射弾数の計数値データを出力インタフェース部２３の表示器２７に表示する。またそれと共に、予め設定された規定の携行弾数値と、上記カウント回路２５から出力される発射弾数の計数値とから残弾数を算出し、この算出された残弾数の値を上記表示器２７に表示する。さらに、残弾数が予め設定した数値以下に減少した時点でスピーカ２３２からアラーム音を発生させる。
【００２２】
計測データ出力制御部２２３は、上記カウント回路２１５から出力された計数値データを書き込み回路２４に供給する。書き込み回路２４はＲＦＩＤタグ２５に対し有線信号路２７を介して接続される。そして、上記計測データ出力制御部２２３から供給された計数値データを上記有線信号路２７を介して上記ＲＦＩＤタグ２５に転送して記憶させる。
【００２３】
電源部２６は、バッテリ２６１と、電源回路２６２と、充電回路２６３と、充電端子２６４とを備える。電源回路２６２は、バッテリ２６の出力をもとに動作電源電圧Ｖccを生成して弾数カウンタ２内の各回路に供給する。充電回路２６３は、上記収納ボックス３から充電端子２６４を介して供給される充電用の電源電圧をもとに上記バッテリ２６１を充電する。
【００２４】
さて、上記ＲＦＩＤタグ２５は以下のように構成される。図３はその構成を示すブロック図である。  
すなわち、ＲＦＩＤタグ２５は、例えばＮＡＮＤ型フラッシュメモリからなるメモリ２５１と、メモリ制御回路２５２と、アンテナ２５４を有する無線送受信回路とを備え、さらに外部接続インタフェースとしての外部接続端子２５５と、切替スイッチ２５６とを備えている。外部接続端子２５５には、有線信号路２７を介して書き込み回路２４が接続される。
【００２５】
メモリ制御回路２５２は、上記メモリ２５１への計数値データの書き込み処理と、メモリ２５１に記憶された計数値データの読み出し処理を行う。無線送受信回路２５３は、上記メモリ制御回路２５２によりメモリ２５１から読み出された計数値データが切替スイッチ２５６を介して供給された場合に、当該計数値データを無線信号を変換したのち所定の送信電力レベルに増幅し、この無線信号をアンテナ２５４から送信する。
【００２６】
切替スイッチ２５６は例えばリードリレーからなり、弾数カウンタ２が前記収納ボックス３のスロット３１に装着されていない状態では可動接点が無線送受信回路２５３側に切り替わっている。そして、弾数カウンタ２が前記収納ボックス３のスロット３１に装着されると、当該スロット３１に設けられた磁石の磁力により可動接点が無線送受信回路２５３側から外部接続端子２５５側に切り替わる。
【００２７】
なお、ＲＦＩＤタグ２５内の各回路は、書き込み回路２４から有線信号路２７を介して供給される電圧を電源電圧として動作する。他に、計数値データを無線送受信回路２５３から送信するときには、通信相手のＲＦＩＤリーダライタ５から無線搬送波信号が受信されるので、この受信された無線搬送波信号をもとに動作電源電圧を生成してＲＦＩＤタグ２５内の各回路を動作させることも可能である。
【００２８】
次に、以上のように構成された弾数カウンタ２の動作を説明する。  
（１）弾数カウンタ２の装着と射撃訓練  
管理者から弾数カウンタ２及び実弾が配布されると、訓練者（使用者）は上記配布された弾数カウンタ２を指定された銃に装着し、射撃を開始する。
【００２９】
射撃が行われると、実弾の発射時に発生する衝撃が弾数カウンタ２の衝撃センサ２１１により検出され、検出された衝撃波形がＡ／Ｄ２１２によりディジタル信号に変換されたのち衝撃波形検出回路２１３に入力される。衝撃波形検出回路２１３では、上記入力された衝撃波形から加速度レベル、加速度の変化回数、発生継続時間及び周波数がそれぞれ検出され、これらの検出値がしきい値設定回路２１４に設定されたしきい値とそれぞれ比較されて、発射の有無が判定される。そして、発射が検出されると、衝撃波形検出回路２１３から例えばカウントパルスが出力される。カウント回路２１５では、上記衝撃波形検出回路２１３からカウントパルスが出力されると、発射弾数の計数値がカウントアップされる。カウントアップされた発射弾数の計数値は、制御回路２２の表示・アラーム制御部２２２と、計測データ出力制御部２２３にそれぞれ通知される。  
以後同様に、弾が発射されるごとに上記衝撃の検出と判定、及び発射弾数のカウントアップが行われる。
【００３０】
以上の射撃訓練中に弾数カウンタ２では、表示・アラーム制御部２２２により発射弾数及び残弾数の表示とアラームの発生制御が行われる。すなわち、表示・アラーム制御部２２２では、カウント回路２１５から通知される発射弾数のカウント値がカウントアップされるごとに、このカウント値と予め入力された携行弾数とから残弾数が算出される。そして、上記発射弾数のカウント値及び上記算出された残弾数の値が表示器２３１に表示される。さらに、上記算出された残弾数の値が予め設定した数値以下に減少した時点で、スピーカ２３２からアラーム音が発生される。したがって使用者は、射撃中に発射弾数及び残弾数を逐次確認することが可能となる。また、残弾数を意識していなくても射撃終了を認識することが可能となる。
【００３１】
また、上記カウント回路２１５から発射弾数の計数値が出力されると、計測データ出力制御部２２３から書き込み回路２４へ上記計数値が転送される。そして、書き込み回路２４からＲＦＩＤタグ２５に有線信号路２７を介して上記計数値を表すデータが送られる。このとき、ＲＦＩＤタグ２５内の各回路は、上記書き込み回路２４から上記計数値データと共に有線信号路２７を介して供給される電圧を電源として動作状態となる。また、このとき弾数カウンタ２は先に述べたように銃１に装着されているため、ＲＦＩＤタグ２５内の切替スイッチ２５６は外部接続端子２５５側に切り替わっている。したがって、上記書き込み回路２４から有線信号路２７を介して送られた計数値データは、切替スイッチ２５６を介してメモリ制御回路２５２に入力され、このメモリ制御回路２５２によりメモリ２５１に書き込まれる。
【００３２】
すなわち、発射弾数の計数値データをＲＦＩＤタグ２５内のメモリ２５１に書き込む際には、書き込み回路２４からＲＦＩＤタグ２５内のメモリ制御回路２５２へ、図４に示すようにＲＦＩＤタグ２５の無線送受信回路２５３を用いずに有線信号路２７を介して計数値データが転送される。
【００３３】
（２）射撃訓練終了後の処理  
射撃訓練が終了すると、使用者は弾数カウンタ２を銃１から取り外して管理者に手渡す。管理者は、手渡された弾数カウンタ２を収納ボックス３のスロット３１に装着したのち、制御装置４において弾数カウンタ２から計数値データを収集するための操作を行う。そうすると、制御装置４からＲＦＩＤリーダライタ５に対し起動要求が送られ、これによりＲＦＩＤリーダライタ５は動作状態となる。
【００３４】
動作状態に移行するとＲＦＩＤリーダライタ５は、弾数カウンタ２に向けてデータ収集要求を表す無線信号を送信する。そうすると、弾性カウンタ２内のＲＦＩＤタグ２５が上記無線信号の電力を電源として動作状態となる。このため、上記ＲＦＩＤリーダライタ５から送信された無線信号はアンテナ２５４を介して無線送受信回路２５３で受信され、これによりデータ収集要求が復調される。
【００３５】
また、このとき弾数カウンタ２を収納ボックスのスロット３１に装着したことにより、弾数カウンタ２内のＲＦＩＤタグ２５の切替スイッチ２５６は、上記収納ボックス３に設けられた磁石により可動接点が無線送受信回路２５３側に切り替わる。このため、上記無線送受信回路２５３により復調されたデータ収集要求は上記切替スイッチ２５６を介してメモリ制御回路２５２に転送される。
【００３６】
上記データ収集要求が到来するとメモリ制御回路２５２は、メモリ２５１から計数値データを読み出し、この計数値データに自己の弾数カウンタを表すＩＤデータを付加して出力する。このとき、切替スイッチ２５６は上記したように無線送受信回路２５３側に切り替わっている。このため、上記メモリ制御回路２５２から出力された計数値データとＩＤデータは、図５に示すように切替スイッチ２５６を介して無線送受信回路２５３へ転送され、この無線送受信回路２５３により無線信号に変換されたのちアンテナ２５４から上記ＲＦＩＤリーダライタ５に向け送信される。
【００３７】
上記ＲＦＩＤリーダライタ５では、上記弾数カウンタ２のＲＦＩＤタグ２５から送信された無線信号が受信されると、この受信された無線信号が復調されて計数値データ及びＩＤデータが再生される。そして、この再生された計数値データ及びＩＤデータは接続ケーブル６を介して制御装置４に転送される。  
すなわち、ＲＦＩＤタグ２５に記憶された計数値データを収集する際には、ＲＦＩＤタグ２５の無線送受信回路２５３と、ＲＦＩＤリーダライタ５が使用される。
【００３８】
制御装置４は、上記弾数カウンタ２のＲＦＩＤタグ２５から収集した計数値データを、弾数カウンタ２を表すＩＤデータに対応付けて記憶部に記憶すると共に、表示部に表示する。したがって、管理者はこの表示された計数値データから発射弾数を確認することが可能となる。また、それと共に制御装置４は、上記記憶された計数値データをもとに任意のタイミングで弾数管理簿を作成し記憶部に記憶する。この弾数管理簿は、管理者の表示要求により読み出されて表示部に表示される。また、キー入力部における管理簿出力操作により、上記弾数管理簿は図示しないプリンタにおいてプリントアウトしたり、さらに磁気ディスクや光ディスク、メモリカード等の外部記録媒体に記録することも可能である。
【００３９】
以上述べたようにこの実施形態では、弾数カウンタ２にＲＦＩＤタグ２５を内蔵させ、このＲＦＩＤタグ２５に発射弾数の計数値データを記憶すると共に、この計数値データをＲＦＩＤタグ２５から読み出せるようにしている。したがって、射撃訓練終了後に弾数カウンタ２により検出された計数値データをＲＦＩＤタグ２５により汎用のＲＦＩＤリーダライタ５へ無線送信することが可能となる。これにより、専用のアダプタ装置を設ける必要がなくなってその分システムのコストダウンが可能となる。また、ＲＦＩＤタグ２５の無線機能を使用することで、計数値データの読み出し作業を行う場所についての制約を減らし、計数値データの収集作業の自由度が高まる。
【００４０】
しかも、この実施形態では、ＲＦＩＤタグ２５には有線信号路２７に接続される外部接続端子２５５と切替スイッチ２５６を設け、計数値データの書き込み時には切替スイッチ２５６を外部接続端子２５５側に切り替えることにより、計数値データを書き込み回路２４から有線信号路２７を介して上記ＲＦＩＤタグ２５内のメモリ２５１に書き込み可能とし、一方計数値データの読み出し時には切替スイッチ２５６を無線送受信回路２５３側に切り替えることにより、メモリ２５１から読み出された計数値データを無線送受信回路２５３から外部のＲＦＩＤリーダライタ５に向けて無線送信するように構成している。
【００４１】
したがって、ＲＦＩＤタグ２５では、計数値データを読み出す場合にのみ無線送受信回路２５３が使用され、計数値データを書き込む場合には有線信号路２７を使用できる。すなわち、ＲＦＩＤタグ２５の無線送受信機能を使用するメリットが得られない弾数カウンタ２内における計数値データの書き込み処理には無線送受信を使用しない。このため、計数値データの書き込み時にはＲＦＩＤタグ２５に電力を供給するために書き込み回路２４から大電力の無線搬送波を送信する必要がなくなり、これにより弾数カウンタ２のバッテリ２６１の消耗を抑えて、弾数カウンタ２の使用時間を延長することが可能となる。
【００４２】
すなわち、本実施形態の弾数カウンタ２によれば、ＲＦＩＤタグ２５を使用することにより射撃訓練終了後における計数値データの収集作業性を向上させた上で、射撃訓練中における弾数カウンタ２の消費電力を削減することができる。
【００４３】
なお、この発明は上記実施形態に限定されるものではない。例えば、前記実施形態では、弾数カウンタ２を収納ボックス３に装着したときに当該収納ボックス３に設けられた磁石の磁界によりＲＦＩＤタグ２５内の切替スイッチ２５６を無線送受信回路２５３側に切り替えるようにした。しかしそれに限らず、銃１への装着の有無を検出するセンサを弾数カウンタ２自身に設け、このセンサの検出信号をもとに、弾数カウンタ２が銃１に装着されているときには切替スイッチ２５６を外部接続端子２５５側に切り替え、弾数カウンタ２が銃１から取り外されているときには切替スイッチ２５６を無線送受信回路２５３側に切り替えるように構成してもよい。
【００４４】
また、他の構成として、弾数カウンタ２に手動スイッチを設け、この手動スイッチの操作に応じて上記切替スイッチ２５６を切り替えるように構成してもよい。以上のように構成すると、計数値データを収集する際に弾数カウンタ２を収納ボックス３に収納する必要がなくなり、これにより弾数カウンタ２を銃１から取り外して計数値の読み出し作業を行うときの自由度をさらに高めることができる。
【００４５】
その他、ＲＦＩＤモジュールの種類やＲＦＩＤモジュール内の回路構成、切替スイッチの種類、弾の発射を検出する方法や発射弾数の計数手段の構成等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４６】
【図１】この発明の一実施形態に係わる弾数カウンタを使用した弾数管理システムの概略構成図である。
【図２】この発明の一実施形態に係わる弾数カウンタの構成を示すブロック図である。
【図３】図２に示した弾数カウンタに内蔵されるＲＦＩＤタグの構成を示すブロック図である。
【図４】図３に示したＲＦＩＤタグの計数値書き込み時の動作を説明するための図。
【図５】図３に示したＲＦＩＤタグの計数値読み出し時の動作を説明するための図。
【符号の説明】
【００４７】
１…銃、２…弾数カウンタ、３…収納ボックス、４…制御装置、５…ＲＦＩＤリーダライタ、２１…発射検出・計数部、２２…制御回路、２３…出力インタフェース部、２４…書き込み回路、２５…ＲＦＩＤタグ、２６…電源部、２７…有線信号路、２１１…衝撃センサ、２１２…アナログ・ディジタル変換器、２１３…衝撃波形検出回路、２１４…しきい値設定回路、２１５…カウント回路、２２１…しきい値制御部、２２２…表示・アラーム制御部、２２３…計測データ出力制御部、２３１…表示器、２３２…スピーカ、２５１…メモリ、２５２…メモリ制御回路、２５３…無線送受信回路、２５４…アンテナ、２５５…外部接続端子、２６１…バッテリ、２６２…電源回路、２６３…充電回路、２６４…充電端子。
【図１】
2008175462.tif 000003
【図２】
2008175462.tif 000004
【図３】
2008175462.tif 000005
【図４】
2008175462.tif 000006
【図５】
2008175462.tif 000007